(57)【要約】【課題】ゴミを収容すると共に、便器清潔用道具を収納することも可能になる。【解決手段】裏箱と、外箱と、前記外箱に合って前記外箱をカバーする箱蓋と、を少なくとも含み、前記外箱の内部には前記裏箱を収容する収容空間が設けてあるゴミ箱において、前記外箱の外面には嵌め部が凹設してあり、前記嵌め部の内部には受け箱が係合してあり、前記外箱の底部の前記嵌め部に対応する箇所では汚水を受ける受け盤が設けてあり、前記箱蓋の前記外箱にある嵌め部に対応する箇所では欠け口が延設してあり、前記欠け口に、便器清潔用ブラシと、便器通し用吸盤とを嵌め可能であることを特徴とするゴミ箱である。【選択図】図１
0003131435.tif 000002
【実用新案登録請求の範囲】
【請求項１】
裏箱と、外箱と、前記外箱に合って前記外箱をカバーする箱蓋と、を少なくとも含み、前記外箱の内部には前記裏箱を収容する収容空間が設けてあるゴミ箱において、
前記外箱の外面には嵌め部が凹設してあり、
前記嵌め部の内部には受け箱が係合してあり、
前記外箱の底部の前記嵌め部に対応する箇所では汚水を受ける受け盤が設けてあり、
前記箱蓋の前記外箱にある嵌め部に対応する箇所では欠け口が延設してあり、
前記欠け口に、便器清潔用ブラシと、便器通し用吸盤とを嵌合可能としたことを特徴とする、
ゴミ箱。
【請求項２】
前記嵌め部の前記箱蓋にある欠け口に対応する箇所では嵌合空間が延設してあり、便器清潔用ブラシと、便器通し用吸盤とを前記嵌合空間に設置可能であることを特徴とする、請求項１に記載のゴミ箱。
【請求項３】
前記箱蓋の前記裏箱の設置された位置に対応する箇所では旋回可能蓋が枢着してあり、前記旋回可能蓋を旋回すると、ゴミを前記裏箱に入れることが可能であることを特徴とする、請求項１に記載のゴミ箱。
【請求項４】
前記受け箱には係り部が設けてあり、前記受け箱にある係り部に応じて前記外箱にある嵌め部には開口が開設してあり、前記係り部を前記開口に係合可能であることを特徴とする、請求項１に記載のゴミ箱。
【請求項５】
前記受け盤にはレールが凸設してあり、前記受け盤に対応する前記外箱にはスライド条が設けてあり、前記スライド条が前記レールを摺動可能であることを特徴とする、請求項１に記載のゴミ箱。
【考案の詳細な説明】
【技術分野】
【０００１】
本考案は、ゴミ箱に係り、特に、裏外箱が設けてあり、外箱には便器清潔用ブラシと便器通し用吸盤とを収容する嵌め部が設けてあることにより、便器清潔用道具を収納可能なゴミ箱に関するものである。
【背景技術】
【０００２】
一般のゴミ箱の主な機能は廃棄物を収納するので、家庭内に設置されるゴミ箱のタイプは、主に、箱蓋が設けられる単一の箱体と、箱蓋が設けられ、裏外箱を有する箱体とに分けられ、トイレに設置されるゴミ箱は後者を採用することが多く、しかし、トイレの内部には、ゴミ箱の他に、便器清潔用ブラシと、便器通し用吸盤と、トイレ床面清潔用ブラシとなどを放置することが一般であり、だが、使用された、便器清潔用ブラシと、便器通し用吸盤とは臭いので、そのまま放置するとトイレ内の空気が臭くなり、そして、それらを別々に放置するとトイレの多くのスペースが占められる。
【０００３】
上記欠点を解決するために、本考案の出願者が2006年8月21日に「ゴミ箱」を提案して台湾特許第3126588号実用新案を取った。このようなゴミ箱は、主に、裏箱と、外箱と、前記外箱に合って前記外箱をカバーする親蓋とを含み、前記外箱の内部には、前記裏箱を収容する収容空間と、便器通し用吸盤を収容する収容用窪みとが設けてあり、また、前記外箱の外面が裏側へ窪んで嵌合窪みを形成し、前記嵌合窪みには一つの受け箱が嵌合され、前記受け箱は便器用ブラシを収容可能であり、前記親蓋の前記便器用ブラシの取っ手に対応する箇所では欠け口が一つ形成される。
【考案の開示】
【考案が解決しようとする課題】
【０００４】
本考案の主な目的は、裏外箱が設けてあり、外箱には便器清潔用ブラシと便器通し用吸盤とを収容する嵌め部が設けてあることにより、ゴミを収容すると共に、便器清潔用道具を収納することも可能になるゴミ箱を提供することにある。
【課題を解決するための手段】
【０００５】
上記目的を達成するためになされた本願の考案は、裏箱と、外箱と、前記外箱に合って前記外箱をカバーする箱蓋と、を少なくとも含み、前記外箱の内部には前記裏箱を収容する収容空間が設けてあるゴミ箱において、前記外箱の外面には嵌め部が凹設してあり、前記嵌め部の内部には受け箱が係合してあり、前記外箱の底部の前記嵌め部に対応する箇所では汚水を受ける受け盤が設けてあり、前記箱蓋の前記外箱にある嵌め部に対応する箇所では欠け口が延設してあり、前記欠け口に、便器清潔用ブラシと、便器通し用吸盤とを嵌め可能であることを特徴とするゴミ箱であることを要旨としている。
【０００６】
本願の考案では、前記嵌め部の前記箱蓋にある欠け口に対応する箇所では嵌合空間が延設してあり、便器清潔用ブラシと、便器通し用吸盤とを前記嵌合空間に設置可能であることを特徴とする請求項１に記載のゴミ箱であることを要旨としている。
【０００７】
本願の考案では、前記箱蓋の前記裏箱の設置された位置に対応する箇所では旋回可能蓋が枢着してあり、前記旋回可能蓋を旋回すると、ゴミを前記裏箱に入れることが可能であることを特徴とする請求項１に記載のゴミ箱であることを要旨としている。
【０００８】
本願の考案では、前記受け箱には係り部が設けてあり、前記受け箱にある係り部に応じて前記外箱にある嵌め部には開口が開設してあり、前記係り部を前記開口に係合可能であることを特徴とする請求項１に記載のゴミ箱であることを要旨としている。
【０００９】
本願の考案では、前記受け盤にはレールが凸設してあり、前記受け盤に対応する前記外箱にはスライド条が設けてあり、前記スライド条が前記レールを摺動可能であることを特徴とする請求項１に記載のゴミ箱であることを要旨としている。
【考案の効果】
【００１０】
本考案のゴミ箱によれば、次のような効果がある。
（イ）外箱の周面に便器清潔用ブラシと便器通し用吸盤とを収容可能な嵌め部を設けることにより、嵌め部に便器清潔用ブラシと便器通し用吸盤とを設置すると、これらの占めるスペースが小さくなり、且つ使用が極めて便利である。
【００１１】
（ロ）外箱の周面に嵌め部を設けて嵌め部に設置される受け箱で便器清潔用ブラシを収容することにより、使用された便器清潔用ブラシに付着する汚水を集中することができる。
【００１２】
（ハ）外箱の周面に設けられた嵌め部と、外箱の底部の前記嵌め部に応じて設けられる受け盤とにより便器通し用吸盤を収容するので、使用された便器通し用吸盤に付着する汚水を集中することができる。
【００１３】
（ニ）便器清潔用ブラシと便器通し用吸盤との配設方式の自由度は極めて高く、例えば、左右に隣接して配設してもいいし、前後に隣接して配設してもいい。
【考案を実施するための最良の形態】
【００１４】
以下、添付図面を参照して本考案の好適な実施の形態を詳細に説明する。
【００１５】
まず、図１を参照する。図１は本考案の実施例１の分解斜視図である。本考案の実施例１のゴミ箱１は、主に、裏箱１１と、外箱１２と、前記外箱１２に合って前記外箱１２をカバーする箱蓋１３と、を含み、前記外箱１２の内部には前記裏箱１１を収容する収容空間１２１が設けてある。
【００１６】
また、図２を参照する。図２は本考案の実施例１の組合状態の斜視図である。前記外箱１２の外面には嵌め部１２２が凹設してあり、前記嵌め部１２２の箱蓋１３に対応する箇所では嵌合空間１２３が二つ設けてあり、そのうちの一つの嵌合空間１２３に受け箱１２４が係合してあり、前記外箱１２の底部の前記嵌め部１２２に対応する箇所では汚水を受ける受け盤１２５が設けてある。
【００１７】
前記箱蓋１３の前記外箱１２にある二つの嵌め部１２３に対応する箇所では欠け口１３１が二つ延設してあり、前記二つの欠け口１３１に、便器清潔用ブラシ２と、便器通し用吸盤３とを嵌合可能である。
【００１８】
また、図３を参照する。図３は本考案の実施例１の組合状態の断面図１であり、トイレ清潔道具を収納しようとする場合には、まず、外箱１２にある収容空間１２１に裏箱１１を嵌め込んで、前記嵌め部１２２にある一つの嵌合空間１２３に受け箱１２４を係合して、図４に示すように、外箱１２の底部の前記嵌め部１２２に対応する箇所では受け盤１２５を組付けて、前記箱蓋１３にある二つの欠け口１３１に、便器清潔用ブラシ２と、便器通し用吸盤３とを別々に係合し、このとき、欠け口１３１に係合される便器清潔用ブラシ２が受け箱１２４に収容され、そして欠け口１３１に係合される便器通し用吸盤３が外箱１２の底部の受け盤１２５に受けられる。
【００１９】
また、トイレ清潔道具を使用しようとする場合には、外箱１２の箱蓋１３から便器清潔用ブラシ２または便器通し用吸盤３を取り出して使用することができる。  使用後にトイレ清潔道具を収納しようとする場合には、前記箱蓋１３にある二つの欠け口１３１に、便器清潔用ブラシ２と、便器通し用吸盤３とを別々に係合すると、便器清潔用ブラシ２および便器通し用吸盤３が嵌め部１２２に収容されるようになり、このとき、便器清潔用ブラシ２が受け箱１２４に収容され、そして便器通し用吸盤３が外箱１２の底部の受け盤１２５に受けられる。そうすると、使用された、便器清潔用ブラシ２または便器通し用吸盤３に付着する汚水を集中することができる。
【００２０】
また、図１乃至図３を参照する。本考案の実施例１のゴミ箱は、受け箱１２４が外箱１２にある嵌め部１２２に係合され、すなわち、受け箱１２４に係り部１２４１が設けてあり、前記受け箱１２４にある係り部１２４１に応じて前記外箱１２にある嵌め部１２２には開口１２２１が開設してあり、前記係り部１２４１を前記開口１２２１に係合可能である。
【００２１】
また、図５を参照する。図５は本考案の実施例１の平面断面図である。前記受け盤１２５が外箱１２の底部に係合され、なお、その係合方式は、前記受け盤１２５を外箱１２の底部に直接に係合してもいいし、受け盤１２５にレール１２５１を凸設し、前記レール１２５１に応じて外箱１２にスライド条１２６を設けることにより、スライド条１２６をレール１２５１に係合してもいい。
【００２２】
また、図１に示すように、前記箱蓋１３の前記裏箱１１の設置された位置に対応する箇所では旋回可能蓋１３２が枢着してあり、前記旋回可能蓋１３２を旋回すると、ゴミを前記裏箱１１に入れ可能である。
【００２３】
本考案のゴミ箱１内に設置される便器清潔用ブラシ２と、便器通し用吸盤３との配設方式は、左右に隣接して配設されるが、勿論、図６に示すように、前後に隣接して配設されてもいい。図６は本考案の実施例２の分解斜視図である。本考案の実施例２のゴミ箱１は、主に、裏箱１１と、外箱１２と、前記外箱１２に合って前記外箱１２をカバーする箱蓋１３と、を含み、前記外箱１２の内部には前記裏箱１１を収容する収容空間１２１が設けてある。
【００２４】
また、図７を参照する。図７は本考案の実施例２の組合状態の斜視図である。前記外箱１２の外面には嵌め部１２２が凹設してあり、前記嵌め部１２２の箱蓋１３に対応する箇所では嵌合空間１２３が二つ設けてあり、そのうちの一つの嵌合空間１２３に受け箱１２４が係合してあり、前記外箱１２の底部の前記嵌め部１２２に対応する箇所では汚水を受ける受け盤１２５が設けてある。
【００２５】
前記箱蓋１３の前記外箱１２にある二つの嵌め部１２３に対応する箇所では欠け口１３１が二つ延設してあり、前記二つの欠け口１３１に、便器清潔用ブラシ２と、便器通し用吸盤３とを嵌合可能である。
【００２６】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよい。
【図面の簡単な説明】
【００２７】
【図１】本考案の分解斜視図である。
【図２】本考案の組合状態の斜視図である。
【図３】本考案の組合状態の断面図１である。
【図４】本考案の組合状態の断面図２である。
【図５】本考案の平面断面図である。
【図６】本考案の実施例２の分解斜視図である。
【図７】本考案の実施例２の組合状態の斜視図である。
【符号の説明】
【００２８】
１        ゴミ箱          １１      裏箱
１２      外箱            １２１    収容空間
１２２    嵌め部          １２２１  開口
１２３    嵌合空間        １２４    受け箱
１２４１  係り部          １２５    受け盤
１２５１  レール          １２６    スライド条
１３      箱蓋            １３１    切り欠
１３２    旋回可能蓋      ２        便器清潔用ブラシ
３        便器通し用吸盤
【図１】
0003131435.tif 000003
【図２】
0003131435.tif 000004
【図３】
0003131435.tif 000005
【図４】
0003131435.tif 000006
【図５】
0003131435.tif 000007
【図６】
0003131435.tif 000008
【図７】
0003131435.tif 000009